Podtech/llm-jp-corpus-v4-ja_patent huggingface dataset:
(57)【要約】【課題】ボックスティッシュ用かごを提供する。【解決手段】ポリプロピレン製などのかご本体のサイズは、高さ７〜１０センチメートル程度で横と奥行きはボックスティッシュの縦置きに合わせ、表面に取り出し部を設けた形に形成する。また、かご内部の背面側にストッパーを取り付けて裏面に吸盤やマグネットなどの取り付け具を装着する。【選択図】  図１
2006176200.tif 000002
【特許請求の範囲】
【請求項１】
かごの表面に取り出し部を設けて内部にストッパーを付けたことを特徴とするボックスティッシュ用かご。
【発明の詳細な説明】
【技術分野】
【０００１】  本発明は、かごの表面に取り出し部を設けて内部にストッパーを付けたボックスティッシュ用かごに関するものである。
【背景技術】
【０００２】  従来、ボックスティッシュ用に取り出し部が設けてあり内部にストッパーを付けたかご類は無かった。
【発明の開示】
【発明が解決しようとする課題】
【０００３】  そのために、次のような問題点があった。
（イ）ボックスティッシュを壁掛けするには、専用ホルダーなどの用具を必用とするた        めに手間がかかった。
（ロ）かご類の形状は、ボックスティッシュを縦置きにして使うには不向きであった。
本発明は、これらの問題点を解決するためになされたものである。
【課題を解決するための手段】
【０００４】  ポリプロピレン製などのかご本体のサイズは、高さが７〜１０センチメートル程度で横と奥行きをボックスティッシュの縦置きに合わせ、表面に取り出し部を設けた形に形成する。また、かご内部の背面側にストッパーを取り付けて裏面に吸盤やマグネットなどの取り付け具を装着する。
【発明の効果】
【０００５】  冷蔵庫などの壁面にボックスティッシュを備える場合、本発明を取り付ければ後は置くだけになりきわめて簡単になった。
【発明を実施するための最良の形態】
【０００６】  以下、本発明の実施について説明する。
（イ）ポリプロピレン製などのかご本体（１）のサイズは、高さが７〜１０センチメー        トル程度で横と奥行きをボックスティッシュ（５）の縦置きに合わせて、表面は        取り出し部（２）を設けた形に形成する。但し奥行きは品種により多少異なるの        で大きめのサイズに合わせる。
（ロ）かご内部の背面側（６）にバネ状のストッパー（３）を付ける。また、裏面に吸        着盤（４）またはマグネットなどの取り付け具を装着する。
本発明は以上のような構成より成り立っている。
本発明を使用するときは、冷蔵庫などの壁面（７）に吸着盤（４）やマグネットなどによりかご本体（１）を取り付けて、その中にボックスティッシュ（５）の取り出し口を表向きにして縦に置く。なお、かご本体（１）の素材は、クラフトや透明のプラスチックなどでも効果が同じであることは言うまでもない。
また、バネ状のストッパー（３）はコイルバネでも同様の効果がある。しかし、かご本体（１）がバネの性質を持った素材であれば同一の金型で加工できるので、より好ましい。
さらに、かご本体（１）の上部入口は若干広がりを付けたほうが、ボックスティッシュ（５）が入りやすくなり好ましい。
【図面の簡単な説明】
【０００７】
【図１】  本発明の斜視図
【図２】  本発明のストッパーの拡大図
【図３】  本発明の側面の断面図
【図４】  本発明の使用図
【符号の説明】
【０００８】      １  かご本体
２  取り出し部
３  ストッパー
４  吸着盤
５  ボックスティッシュ
６  背面側
７  壁面
【図１】
2006176200.tif 000003
【図２】
2006176200.tif 000004
【図３】
2006176200.tif 000005
【図４】
2006176200.tif 000006
(57)【要約】【課題】レコードジャケットの印刷の劣化を防ぐレコード袋を提供する。【解決手段】透明又は半透明のポリプロピレン製又はポリエチレン製レコード袋を製造する材料であるポリプロピレン又はポリエチレンに超微粒子酸化亜鉛を添加し、ＵＶカット・紫外線を除去せしめ、レコードジャケットの印刷の劣化を防ぐことを特徴とするレコード袋である。【特許請求の範囲】
【請求項１】
ポリプロピレン製又はポリエチレン製のレコード袋の製造過程で、超微粒子酸化亜鉛等のＵＶカットのための原料を添加したことを特徴とするＵＶカットレコード袋。
【発明の詳細な説明】
【技術分野】
【０００１】  本発明は、ＵＶカット機能を付加したポリプロピレン製又はポリエチレン製レコード袋に関するものである。
【背景技術】
【０００２】  従来よりＬＰレコード又はＥＰレコード他を入れる透明又は半透明のポリプロピレン製又はポリエチレン製レコード袋があった。
【発明の開示】
【発明が解決しようとする課題】
【０００３】  （イ）ＬＰレコード又はＥＰレコード他を入れる透明又は半透明のポリプロピレン製又はポリエチレン製レコード袋はレコード袋の特徴である透明又は半透明の性質上紫外線の影響によりＬＰレコードのジャケット（紙製レコード入れ）の表面印刷が劣化する欠点があった。
（ロ）長期の太陽光又は蛍光灯の光等によって特に赤系、緑系の色が変色・退色しそのジャケットの持つ本来の芸術性が損なわれる欠点があった。それによりレコードの中古市場に於いてその劣化により売買価格が著しく低下したり、購買意欲が薄れるなどの欠点があった。
又購買者個人が長期にわたり部屋の壁など紫外線にさらされる事を知らずに展示などしていると知らぬ間に最初の購買時のジャケットの色とはかなり違う色合いとなりがっかりする例が多かった。
【課題を解決するための手段】
【０００４】  ポリプロピレン製又はポリエチレン製のレコード袋の製造過程で、超微粒子酸化亜鉛等のＵＶカットのための原料を添加したことを特徴とするＵＶカットレコード袋。
【発明の効果】
【０００５】  芸術的価値のある又個人の嗜好のレコードをジャケットと共に部屋の壁に貼ったりする例は多いが、従来のレコード袋では退色するなど思いもしなかったが、このレコード袋に入れれば透明ながら紫外線による退色を自然に防げる事ができる。
【発明を実施するための最良の形態】
【０００６】以下、本発明の実施の形態を説明する。
透明又は半透明のポリプロピレン製又はポリエチレン製レコード袋を製造する材料であるポリプロピレン又はポリエチレンに超微粒子酸化亜鉛を添加しＵＶカット・紫外線を除去せしめるレコード袋である。
(57)【要約】【課題】健康維持や健康増進のため、ワインやアルコール飲料を毎日少量づつ飲む人向けに、ボトル内の飲料の酸化を防止して、初期の美味しさを維持するシステムを提供することを課題とする。【解決手段】アルコール飲料ボトルを、開栓直後にサーバーで密閉し、不活性ガスの圧力でパージし、注出できるようにした。圧力が異常に上昇したときは、安全弁が働き、ボトルの破損などの危険も防止した。よって、サーバーを付けてパージをした後は、ボトルが空になるまで空気に触れること無く、酸化を防止でき、上記課題を解決した。【選択図】      図２
2006176148.tif 000002
【特許請求の範囲】
【請求項１】
ボトル入飲料の酸化を防止するために、ボトルの開栓後、ボトルにサーバーを取り付け、別途ガス容器に取り付けた圧力調整器からサーバーにガスの配管をした、ボトル入飲料サーバー装置。
【請求項２】
ボトル内空気をガスでパージできることを特徴とする請求項１のボトル入飲料サーバー装置。
【請求項３】
飲料はガスの圧力で注出することを特徴とする請求項１のボトル入飲料サーバー装置。
【請求項４】
ガスは炭酸ガス、又は、窒素ガスなどの不活性ガスであることを特徴とする請求項１のボトル入飲料サーバー装置。
【発明の詳細な説明】
【技術分野】
【０００１】
本発明は、主にワインサーバーの改良に関わる。ワインサーバーを小型軽量にし、ワインボトルにサーバーを直接取り付けることにより、飲みかけの高価なワインや生酒でも家庭で酸化させずに保存することができるように改良するものである。
【背景技術】
【０００２】
ワインの保存に関し、飲み残しのボトルを空気に触れないようにするアイデアは、従来から種々提案され実用に供されている。例えば特開２００１−５８７００（Ｐ２００１−５８７００Ａ）はボトル内の空気を真空ポンプで抜いて真空にすることにより酸化を防止し、それを開放することでグラスに注出をする。また、特開２００１−１３９０３２（Ｐ２００１−１３９０３２Ａ）はボトル内にガラス棒を入れ、飲んだ分の空間を無くすことで、ボトル内の空気の量を最少にする。その他にも多数の案が開示されている。
【特許文献１】特開２００１−５８７００（Ｐ２００１−５８７００Ａ）
【特許文献２】特開２００１−１３９０３２（Ｐ２００１−１３９０３２Ａ）
【発明の開示】
【発明が解決しようとする課題】
【０００３】
問題点は、従来の案では、ガラス棒をボトルに入れるまでに、または、真空ポンプを接続し真空にするまでに、酸化が進んでしまう点である。
解決しようとする課題は、ワインなどアルコール飲料の栓を開けたら、酸化を防止するため素早く別の栓をすること、その栓には、ボトル内の飲料を注出するサービング機能を持たせる他、初期に出来る少ない空間をも不活性ガスと置換できるようにすることである。
【課題を解決するための手段】
【０００４】
ワインなどアルコール飲料の栓を開けたら、なるべく早く図１の如くボトル２６にサーバー１を取り付ける。取付けは図２の締付ナット３をボトルのネックに入れ、ボトルトップにシールキャップ４を装着、その上にサーバーボデー２を挿入、下側からナット３で締付ければサーバー１の取り付けは完了する。サーバー１には図1の不活性ガス高圧容器２３から、圧力調整器２１で減圧（0.05〜0.15MPa）され、ホース２２を通して不活性ガスが供給される。不活性ガスは図2のニップル８から、チェックバルブ９を通過し、チェックバルブ１０からボトルに入りボトル内の圧力を0.05〜0.15MPa程度のプラス圧力にする。ボトル２６上部に空間がある場合は、パージボタン１１を押すと安全弁１２が開いて、通路１３から通路１４へボトル内の空気を追い出す。注出口キャップ７を取り、コック６を開けばボトル内の飲料を注出できる。
【発明の効果】
【０００５】
ワインなどアルコール飲料入のボトルを開栓した直後は、飲料の上部が空気に触れるが本案サーバーを取り付け、パージをすることで空気を追い出しておけば、その後は、ボトル内の飲料が空気に触れることがなく、そのまま保管をしても酸化などの心配がないため、健康維持や健康増進を目的に毎日少量づつ安心して飲むことが出来る。また、サーバーが小型であり、ボトルは直立のまま注出できるため、ラベルを楽しむなどファッション性も期待できる。
【発明を実施するための最良の形態】
【０００６】
ワインなどアルコール飲料ボトルの上部に、サーバーを取り付け、サーバーに不活性ガスを導くために、小型の不活性ガス高圧容器と圧力調整器をセットし、ガス導管でサーバーに接続するが、接続部分はねじで、取り外したときにガスが漏れないように、内部にチェックバルブを配置するとともに、ボトルからの逆流を防止するため、サーバー側にもチェックバルブを設置する。
【実施例１】
【０００７】
本発明の実施例を図に示す。図1は本案の全体図で、１はサーバー、２１は高圧不活性ガスを減圧する圧力調整器、２２はサーバーへの不活性ガス導管、２３は不活性ガス高圧容器、２４は加圧システムを保持するためのホルダー、２５はボトルスタンド、２６はワインボトルなどアルコール飲料ボトル。
図２はサーバーをボトルへ取り付けた断面図で、８は減圧された不活性ガス入口ニップル、９はガス導管２２を外した時、供給側からのガスを止めるチェックバルブ、同じく１０はボトル側からの逆流を防止するチェックバルブである。
圧力調整器の故障などでボトル内の圧力が規定以上に上昇した場合、ボトルの破損をなどの危険を防止するために、安全弁１２を設けてある、また安全弁１２は、ボトルにサーバーを取り付けた直後に出来た空間を、不活性ガスでパージするため、１１のパージボタンを押すと開くようになっている。ボトル内圧力は0.05〜0.15MPa程度に上昇しているため１２のバルブが開くと、通路１３から通路１４へと内部の空気は大気へ放出される。
ボトル内飲料は、コック６を開くと飲料導管５から注出口へ、ボトル内圧力によって注出される。
【産業上の利用可能性】
【０００８】
本発明は、家庭用として健康維持や健康増進のために、アルコール飲料を少量づつ毎日飲む人向けに最適であるが、高価なワインやアルコール飲料を少しだけ飲みたい人に業務用として活用できることは言うまでもない。
【図面の簡単な説明】
【０００９】
【図１】本発明の全体を示す図である。
【図２】本発明のサーバー部分の断面図である。（実施例１）
【符号の説明】
【００１０】
１  サーバー
２  サーバーボデー
３  締付ナット
４  シールキャップ
５  飲料導管
６  注出コック
７  注出口キャップ
８  ニップル
９  チェックバルブ
１０  チェックバルブ
１１  パージボタン
１２  安全弁
１３  通路（安全弁）
１４  通路（大気放出）
２１  圧力調整器
２２  不活性ガス導管
２３  不活性ガス高圧容器
２４  ホルダー
２５  スタンド
２６  ボトル
【図１】
2006176148.tif 000003
【図２】
2006176148.tif 000004
(57)【要約】【課題】  洗浄便座を取り付けても便器本体との間に隙間が生じることのない、洗浄便座一体型便器を提供する。【解決手段】  便器本体１上面部に設けられた洗浄便座取付用の段落し部１１に、便器本体１と洗浄便座との間の隙間調整用の突起１１１を設け、便器本体１に洗浄便座が取り付けられた際に便器本体１と洗浄便座との間に隙間が生じないように突起１１１を削って隙間調整を行う。【選択図】図１
2006176972.tif 000002
【特許請求の範囲】
【請求項１】
洗浄便座が便器本体の上面部に取り付けられる洗浄便座一体型便器であって、便器本体に設けられた洗浄便座取付用の段落し部に、便器本体と洗浄便座との間の隙間調整用の突起が設けられており、便器本体に洗浄便座が取り付けられる際に便器本体と洗浄便座との間に隙間が生じないように突起を削って隙間調整を行えるようになっていることを特徴とする洗浄便座一体型便器。
【発明の詳細な説明】
【技術分野】
【０００１】
本願発明は、洗浄便座が取り付けられる便器に関するものである。
【背景技術】
【０００２】
上記の便器については、便器本体と洗浄便座を固定するために、固定金具を便器本体の上面部に固定し、その固定金具に対して洗浄便座を固定することがしばしばある（たとえば下記特許文献１参照）。
【特許文献１】特開２００３−１４４３５１号公報
【発明の開示】
【発明が解決しようとする課題】
【０００３】
しかしながら、一般的に、便器本体の上面部は先端から後端までフラットであるため、その上に洗浄便座を取り付けると、洗浄便座自体がどうしても大きな容積を必要とするため、無骨なデザインになってしまう。
【０００４】
また、立ち上がり補助を目的とした肘掛を便器本体に取り付けることがしばしばあるが、その構造として、肘掛を取り付けるための取付金具などを便器本体上面部に固定することを考えた場合、その取付体積を確保するために洗浄便座側の容積が減り、さらに内部部品の配置などを調整する必要も生じて、デザイン面への影響がより一層大きくなる。
【０００５】
これらを考慮して新しいデザインを有した洗浄便座一体型便器を設計するに当たり、便器本体上面部の形状をフラットではなく、段落し形状にすることで、洗浄便座の内部部品の配置を便器本体上面部より下に、つまり立体的に配置することは可能である。さらには、肘掛用の取付金具を取り付ける部位も上面部より下げることで、洗浄便座の内部部品との干渉を防ぐことができる。
【０００６】
図４はこの一例を示したものであり、便器本体１の上面部に、洗浄便座取付用の段落し部１１が形成されており、この段落し部１１上に確保されている凹み空間に洗浄便座の取付部や内部部品が納まっているケース部などが落とし込まれるようになっている。また、段落し部１１の後方部分にはさらに段落しされた肘掛用の取付部位１２が形成されており、この取付部位１２上にたとえば図示した取付金具としてのベースプレート４が固定され、この両側面に肘掛が回動自在に取り付けられるようになっている。
【０００７】
しかしながら、上記のとおりに便器本体１に段差をつけ、そこに洗浄便座を取り付けると、便器本体１の公差によっては便器本体１と洗浄便座との間に隙間が生じる恐れがある。隙間ができると、そこから小便などが浸入するため、臭いや汚れの原因となる。
【０００８】
そこで、以上のとおりの事情に鑑み、本願発明は、洗浄便座を取り付けても便器本体１との間に隙間が生じることのない、洗浄便座一体型便器を提供することを課題としている。
【課題を解決するための手段】
【０００９】
本願発明は、上記の課題を解決するものとして、第１には、洗浄便座が便器本体の上面部に取り付けられる洗浄便座一体型便器であって、便器本体に設けられた洗浄便座取付用の段落し部に、便器本体と洗浄便座との間の隙間調整用の突起が設けられており、便器本体に洗浄便座が取り付けられる際に便器本体と洗浄便座との間に隙間が生じないように突起を削って隙間調整を行えるようになっていることを特徴とする。
【発明の効果】
【００１０】
上記第１の発明によれば、洗浄便座が取り付けられる便器本体の段落し部に上記のとおりの突起を設けておくことで、洗浄便座と便器本体との間に隙間が生じないように突起を削るだけで、簡単に隙間調整が可能になる。
【発明を実施するための最良の形態】
【００１１】
図１は、本願発明の一実施形態を示したものである。
【００１２】
この実施形態では、図４に例示した便器本体１の洗浄便座取付用の段落し部１１の上面に、２つの突起１１１が設けられている。突起１１１の個数や寸法、位置などは隙間調整に必要な範囲で適宜決定される。
【００１３】
この突起１１１が設けられた段落し部１１に対してたとえば図２に例示したように洗浄便座２が取付固定される際に、便器本体１と洗浄便座２との間に隙間が生じるようであれば、その隙間がなくなるように、突起１１１を少しずつ削り、洗浄便座２の高さ位置を調整すればよい。
【００１４】
これにより、洗浄便座２をその取付部や内部部品を納めたケース部などを段落し部１１上の凹み空間に落とし込むようにして取り付けても、便器本体１との隙間が生じることがなくなり、よって、たとえば図３に例示したようなスッキリとしたデザインの便器を実現することができる。
【００１５】
図３の例では、肘掛３も便器本体１の両側に取り付けられているが、このように肘掛３を取り付けた場合であっても、段落し部１１の後方位置でさらに段落しした取付部位１２でのベースプレート４を介した取り付けによって（図４参照）、スッキリしたデザインが維持されている。
【図面の簡単な説明】
【００１６】
【図１】本願発明の一実施形態を示した斜視図である。
【図２】便器本体への洗浄便座の取付について説明するための斜視図である。
【図３】洗浄便座取付後の便器を示した斜視図である。
【図４】洗浄便座取付用の段落し部および肘掛用の取付部位が設けられた便器本体の一例を示した斜視図である。
【符号の説明】
【００１７】
１  便器本体
１１  段落し部
１１１  突起
１２  取付部位
２  洗浄便座
３  肘掛
４  ベースプレート
【図１】
2006176972.tif 000003
【図２】
2006176972.tif 000004
【図３】
2006176972.tif 000005
【図４】
2006176972.tif 000006
(57)【要約】【課題】    本発明は、簡易に接続できる縁石を提供することを目的としている。【解決手段】    縁石１は、縁石本体１０と、この縁石本体１０の両端面形状は、底部１２と、この底部１２の両端を上に向かって凸形状となる凸形状部１３とを有し、この凸形状部１３の外周全体に亘ると共に、凸形状部１３に沿って幅ｗで、縁石本体１０の長手方向を横断する方向の厚みtによる周縁欠損部１４と、底部１２の中央部を含んで周縁欠損部１４につながる幅Ｗで、縁石本体１０の長手方向を横断する方向の厚みt1（ t1 ≦t）による中央欠損部１５と、凸形状部１３は、中央欠損部１５を境に一方側に一方側凸部１６、他方側に他方側凸部１７がそれぞれ形成されているものである。【選択図】図３
2006176963.tif 000002
【特許請求の範囲】
【請求項１】
縁石本体と、
この縁石本体の両端面形状は、底部と、この底部の両端を上に向かって凸形状となる凸形状部とを有し、
この凸形状部の外周全体に亘ると共に、前記凸形状部に沿って幅ｗで、前記縁石本体の長手方向を横断する方向の厚みtによる周縁欠損部と、前記底部の中央部を含んで前記周縁欠損部につながる幅Ｗで、前記縁石本体の長手方向を横断する方向の厚みt1（ t1 ≦t）による中央欠損部と、
前記凸形状部は、前記中央欠損部を境に一方側に一方側凸部、他方側に他方側凸部がそれぞれ形成されている
ことを特徴とする縁石。
【発明の詳細な説明】
【技術分野】
【０００１】
本発明は、縁石に係り、特に、簡易に接続できる縁石に関する。
【背景技術】
【０００２】
車道と歩道の境に用いられる縁石にあっては、縁石を縁石の長手方向に沿って並べ、
縁石と縁石との間をモルタルで詰める目地作業を行って、縁石と縁石とを接続するようにしている。
この作業を効率よく行うために、例えば、目地詰め用カバーを使用している（例えば、特許文献１参照）。
【特許文献１】特開平１１−２９３６２２号公報（図１乃至図４）
【発明の開示】
【発明が解決しようとする課題】
【０００３】
目地詰め用カバーを使用して目地作業を行えば、ある程度できる。
しかしながら、作業毎に一々目地詰め用カバーを使用して目地作業をしなければならないと共に、上述した目地作業によって得られたものは、縁石と縁石との間にモルタルを介在させて接続しているため、縁石本体の長手方向を横断する方向の荷重に対し、接着強度が弱いという問題点が生じた。
本発明は、上述した問題点を除去するようにした縁石を提供するものである。
【課題を解決するための手段】
【０００４】
前記した目的を達成するための本発明の縁石は、縁石本体と、この縁石本体の両端面形状は、底部と、この底部の両端を上に向かって凸形状となる凸形状部とを有し、この凸形状部の外周全体に亘ると共に、前記凸形状部に沿って幅ｗで、前記縁石本体の長手方向を横断する方向の厚みtによる周縁欠損部と、前記底部の中央部を含んで前記周縁欠損部につながる幅Ｗで、前記縁石本体の長手方向を横断する方向の厚みt1（ t1 ≦t）による中央欠損部と、前記凸形状部は、前記中央欠損部を境に一方側に一方側凸部、他方側に他方側凸部がそれぞれ形成されているものである。
【発明の効果】
【０００５】
請求項１記載の縁石によれば、縁石本体の端面と端面とを当接し、中央欠損部にモルタルを充填していけば、従来のような目地詰め用カバー等の用具を使用せず、縁石を簡易に接続でき、しかも、中央欠損部に充填し硬化したモルタルが一方側凸部及び他方側凸部に付着しているため、縁石本体の長手方向を横断する方向の荷重に対しても効果的に作用する。
【実施例】
【０００６】
本発明の一実施例の縁石を図面を参照して説明する。
図１乃至図５において、１は、例えば、車道２と歩道３の境に用いられる縁石で、縁石１は、略直方体形状をなした縁石本体１０と、縁石１の車道２に面する角部は面取りされた傾斜面１１とを有している。なお、施工面Ｇと縁石１との間には、例えば、図示しないが約２ｃｍ程度のモルタルが介在し、縁石１を施工面Ｇに付着させるようにしてある。
【０００７】
縁石本体１０の端面形状は、図２に示すように、底部１２と、この底部１２の両端を上に向かって凸形状となる凸形状部１３となっている。なお、縁石本体１０の他の端面形状も、図２に示すものと同様であるのでその説明を省略する。つまり、 縁石本体１０の端面形状は、両端面同じとなっている。
【０００８】
縁石本体１０の端面にあっては、凸形状部１３の外周全体に亘ると共に、凸形状部１３に沿って幅ｗで、縁石本体１０の長手方向を横断する方向の厚みt による周縁欠損部１４と（周縁欠損部１４の形状は、本実施例では略逆Ｕ字となっている。）、底部１２の中央部を含んで周縁欠損部１４につながる幅Ｗで、縁石本体１０の長手方向を横断する方向の厚みt1（ t1 ≦t）による中央欠損部１５とを有している（図３参照）。
その結果、凸形状部１３は、中央欠損部１５を境に、図２に示すように、一方側に一方側凸部１６、他方側に他方側凸部１７がれぞれ形成されることとなる。
【０００９】
従って、図４及び図５に示すように、縁石本体１０の端面と端面とを当接し、中央欠損部１５にモルタルＭを充填していけば、従来のような目地詰め用カバー等の用具を使用せず縁石１を簡易に接続でき、しかも、中央欠損部１５に充填し硬化したモルタルＭが一方側凸部１６及び他方側凸部１７に付着しているため、縁石本体１０の長手方向を横断する方向の荷重に対しても効果的に作用する。
【００１０】
なお、中央欠損部１５にモルタルＭを充填する際、図４及び図５に示すように、縁石本体１０の長手方向を横断する方向の厚みt1（ t1 ≦t）を残して充填しても良く、また、図６及び図７に示すように、縁石１の面位置までモルタルＭを充填するようにしても良い。
【００１１】
また、上述した縁石１は、車道２と歩道３の境に用いられるものについて、説明したが、本願発明にあってはこれに限らず、例えば、図示しないが、舗装と緑地の境、見切りにも同様に適用できるものである。
【図面の簡単な説明】
【００１２】
【図１】図１は、本発明の一実施例の縁石の使用状態の概略的斜視図である。
【図２】図２は、図１の縁石の端面の概略的斜視図である。
【図３】図３は、図２の縁石を縁石の長手方向に接続する前の状態の概略的平面図である。
【図４】図４は、図３の隣り合う縁石と縁石とを当接し、該当接部にモルタルを充填した状態の概略的平面図である。
【図５】図５は、図４のＸ−Ｘ線による概略的断面図である。
【図６】図６は、図４の他の実施例を示すもので、縁石の面位置までモルタルを充填した状態の概略的平面図である。
【図７】図７は、図４のＹ−Ｙ線による概略的断面図である。
【符号の説明】
【００１３】
１  ・・・・・縁石
１０  ・・・・・縁石本体
１２  ・・・・・底部
１３  ・・・・・凸形状部
１４  ・・・・・周縁欠損部
１５  ・・・・・中央欠損部
１６  ・・・・・一方側凸部
１７  ・・・・・他方側凸部
【図１】
2006176963.tif 000003
【図２】
2006176963.tif 000004
【図３】
2006176963.tif 000005
【図４】
2006176963.tif 000006
【図５】
2006176963.tif 000007
【図６】
2006176963.tif 000008
【図７】
2006176963.tif 000009
(57)【要約】【課題】一般家庭その他どこでも見られるような洋式の便器本体であり乍ら、特に男子が立った状態で使用しても尿や便器本体内に溜っていた水が便器本体外に飛散することがない便器を提供すること。【解決手段】洗滌水の供給路と汚物の排出路を持った便器本体にあって、該便器本体を昇降させる機構をもたせてなる。【選択図】図１
2006176965.tif 000002
【特許請求の範囲】
【請求項１】
洗滌水の供給路と汚物の排出路を持った便器本体にあって、該便器本体を昇降させる機構をもたせた便器。
【発明の詳細な説明】
【技術分野】
【０００１】
本発明は、男女兼用の便器に関する。
【背景技術】
【０００２】
今や一般家庭やその他あらゆる場所の便器は、所謂「西洋式」と呼ばれる「座る」形式のものが主流となった。しかしこの種の便器装置は子供大人兼用で、子供が踏み台などを用いて使用することが多かった。
そこで、使用者の体格に応じて床と便座間の高さを簡単に調節できるものとして、身長計測用の人体センサを設け、便座や便器本体、あるいは床の高さを自動的に調節できるようにし、また、高さ調節用の操作板を設け使用者が簡単に好みの高さに調節できるようにしたものが案出（特許文献１）されている。
【０００３】
また、液圧シリンダーを用いて便座を昇降自在とするとともに、液圧シリンダー内の水道水を有効に利用できる便座昇降トイレも案出（特許文献２）されており、液圧シリンダーに水道水を出し入れする液圧回路を具備し、液圧シリンダーに水道水を導入することによって便座が上昇し、便座が下降する際に液圧シリンダーから排出される水道水を、ロータンクに排出するように液圧回路を形成したものもある。（特許文献２参照）
【０００４】
さらに、便座を３つ以上のレベルで停止させる機能をもったトイレ装置（特許文献３）もあるが、従来のいままでの発明は子供や大人用にいずれも便座を昇降させるものであった。
【０００５】
【特許文献１】特開２００１−３２１２９３
【特許文献２】特開平１１−９５０２
【特許文献３】特開２００３−１２５９７７
【発明の開示】
【発明が解決しようとする課題】
【０００６】
さて、一般家庭その他の通常の洋式便所にあって、特に男性が立った蓋の状態で小用を行うとき、便座を立てて便器本体内に放尿するのであるが、当該便器本体はその高さが低い為放尿の際、過って尿が飛散させたり、便器本体内に溜っている水に当接し、この水をも便器周囲に飛散したりするので、頗る不衛生であるばかりか、このため度重なる掃除を余儀なくされていたのである。
【０００７】
総じて本発明の目的は、上記の欠点を除去するもので、一般家庭その他どこでも見られるような洋式の便器本体であり乍ら、特に男子が立った状態で使用しても尿や便器本体内に溜っていた水が便器本体外に飛散することがない便器を提供するにある。
【課題を解決するための手段】
【０００８】
本発明の特徴は、婦女や子供が「小用」を行うときあるいは「大用」の場合、便器本体は従来通り低い状態のものとし、特に男子の「小用」のときは、所定の位置に便器本体を上昇させる機能を兼ね備えたことである。
【発明の効果】
【０００９】
従って本発明便器を用いて特に男性が立った姿で「小用」をする場合は、便器本体を身体の放尿箇所に近い位置まで上昇させてから放尿するものであるから、それが高い場所から低い便器に落下させるのと異なり、全て便器本体内に放出されて便器本体外に飛散するような虞はないのである。
【００１０】
また従来の低い状態の便器の場合、汚物を処理するため便器本体内に少し水を溜めておくが、上記のように男子が立姿で放尿する場合の便器本体を上昇させる際、かかる便器本体内の水は汚物の排出管方向に落下して、便器本体内に溜っておらず、この為、放出された尿等によってかかる水が飛散し、便器本体周囲を汚すような虞れもないのである。
【実施例】
【００１１】
図で（１）は一般家庭やどこでもみられる通常の「洋式」と呼ばれる便器本体であり、（２）はその上辺に沿わせた公知の便座である。
【００１２】
また（３）は、上記便器本体（１）の内部底面に一端を開口させた汚物の排出管で、他端はこの実施例では合成ゴムの蛇腹状のような、可撓性ある材質と構造で作られたホース（４）を介して図示しない汚物の吸引機構と接続している。
【００１３】
また（５）は便器本体（1）内の背面に一端を開口した洗滌水の供給管で、その図示しない供給源との間に上記と同様蛇腹状の給水ホース（６）を介している。
【００１４】
さらに図中（７）（８）は、便器本体（1）の背面から外方向に突出させた上下一対の軸受けであり、それぞれ内ねじ（９）（１０）が刻設されている。
【００１５】
（１１）はこの内ねじ（９）（１０）に螺合する垂直な長ねじで、その末端はかかる内ねじ（１１）の駆動源（１２）と連なっている。
【００１６】
さらに（１３）は上記便器本体（１）の周辺の床上に植設したペタルスイッチで、上記の駆動源（１２）と電気的に接続されている。
【００１７】
なお（１４）は身体の高さのセンサで上記同様駆動源（１２）と接続させてもよい。
【００１８】
而して図２は、婦女、子供あるいは「大用」で、本発明便器を利用している状態を示している。いま男子が所謂「小用」の為、本発明便器を使用したいと思った場合、ペタルスイッチ（１３）を踏む。
【００１９】
斯くなすことによって駆動源（１２）が駆動するので、長ねじ（１１）は廻動し、軸受け（７）（８）は内ねじ（９）（１０）との螺合で上昇し、その結果便器本体（１）は図３のように身体の放尿箇所に近い位置で停止する。而してこの状態で放尿すれば、全ては便器本体（１）内に放出され、低い状態の便器本体に放出するのと異なり、便器本体外に尿が飛散する虞がない。
【００２０】
また低い状態にある便器本体（１）内とは、図１のＡのように汚物の排出を促す為に水を溜めておくが、かかる水は便器本体（１）を上昇させたとき排出管（３）方向に流れ落ちるので、放尿の際かかる溜水に当り便器本体（１）外に飛散するような虞もないのである。
【００２１】
なお、図の（１４）のようにペタルスイッチ（１３）以外に身体の高さ等を測る、あるいは、手を掲げることで作動するセンサを設けてもよい。
【図面の簡単な説明】
【００２２】
【図１】便器本体全体の一部断面説明図
【図２】通常「子供」「婦女」「大用」として、便器本体を使用している状態の説明図
【図３】男性の立姿で「小用」している状態の説明図
【符号の説明】
【００２３】
Ａ      水
１      便器本体
２      便座
３      排出管
４      排水ホース
５      供給管
６      給水ホース
７      軸受け
８      軸受け
９      内ねじ
１０    内ねじ
１１    長ねじ
１２    駆動源
１３    ペタルスイッチ
１４    センサ
【図１】
2006176965.tif 000003
【図２】
2006176965.tif 000004
【図３】
2006176965.tif 000005
(57)【要約】【課題】乳癌手術を受けた女性のための安心とリラックスのパジャマ又は衣服術後の乳房の形状を気にして気後れすることなく、パートナーとスキンシップを楽しむための身近なアイテムの一つとして提案をする。【解決手段】患部側の前身頃を被りにすることで容易にはだけず、Ｖネック様になるギャザーとパッドでソフトな膨らみを作ることで左右大きさの違ってしまった乳房の違和感をカバーする。【選択図】図５
2006176945.tif 000002
【特許請求の範囲】
【請求項１】
上衣後身頃と、左右どちらか一方に設けられ、一方のバスト部を覆うと共に、他方のバスト部を露出させるような形状よりなり、前記、後身頃に縫合された胸部覆い部材と、少なくとも上体前身露出部を開閉可能に覆うように前記後身頃に縫合された開閉前身頃と、前身頃を閉じた状態で固定する固定手段により成り、上衣後身頃と胸部覆い部材と開閉前身頃により任意形状の上衣となることを特徴とする衣服。
【請求項２】
胸部覆い部材の胸部の隆起形状部にあたる位置の開放辺に、立体形状変化に対応する伸縮機構部を設けたことを特徴とする請求項１記載の衣服
【請求項３】
胸部覆い部材のバスト位置に疑似バスト形状とするためのパッドを具備することを特徴とする請求項１又は２記載の衣服
【発明の詳細な説明】
【技術分野】
【０００１】  本発明は、乳癌手術を受けた被施術者がブラジャーを着けなくても、左右の胸のアンバランスを気にせず、着用できる衣服に関するものである。
【背景技術】
【０００２】  従来の前身頃が開閉する衣服としては、患者のことを考え、アンバランスを目立たなくするための機能を持つものは無かった。
【発明の開示】
【発明が解決しようとする課題】
【０００３】  そのために、次のような問題点があった。
（イ）就寝前にくつろぐ際、風呂上がりであってもブラジャーを外せない。
（ロ）パートナーであっても術後の乳房は覆いたいものだが、就寝時の衣服としては前身頃全体が開閉してしまうもの、もしくは被りタイプのもので、衣服そのものでは両乳房のアンバランスを隠せなかった。
本発明は、これらの問題点を解決するためになされたものである。
【課題を解決するための手段】
【０００４】  上衣後身頃と左右どちらか一方に設けられ、一方のバスト部を覆うと共に、他方のバスト部を露出させるような形状よりなり、前記、後身頃に縫合された胸部覆い部材と、少なくとも上体前身露出部を開閉可能に覆うように、前記後身頃に縫合された開閉前身頃と、開閉前身頃を閉じた状態で固定する固定手段により構成される。
【発明の効果】
【０００５】  一方のバスト部を覆うと共に、他方のバスト部を露出させるような形状よりなり、未婚・既婚に関わらず、手術により膨らみを失った女性はブラジャーを着けないとそのバランスの悪さが気にかかるものであるが、この衣服を着ることで、お風呂上がりから就寝までリラックスできる。パートナーとの生活においても、失った乳房を露出するのは、夫婦であっても未婚の女性であっても個人差はあれ、なるべくなら見られたくないと言う複雑な思いがある。本発明の衣服は、違和感を自然にカバーしたいという女性の心理を満足させる。
【発明を実施するための最良の形態】
【０００６】以下、本発明の実施形態について、図１から図５を用いて説明する。本事例においてはノースリーブのパジャマを挙げて説明する。
本発明は、後身頃、固定前身頃、開閉前身頃から構成されている。本図においては右胸部除去または温存後の患者用のものとして説明する。
後身頃は、図３に示すように上下生地をウエスト部でギャザーを形成するように縫合されたものである。上部は両肩に位置する肩縫合辺から腕を露出するように背中を覆う形状よりなり、下部は裾に向い広がった形状となっている。
固定前身頃は、図１ａに示すように逆三角形状で、右肩縫合辺を有し、右側面で脇下全体が縫合される脇縫合辺となっており、左側辺下部が腰脇縫合辺となっており、各縫合辺で後身頃と縫合されている。右肩縫合辺首側端部から腰脇縫合辺上部にかけては斜め形状となっており、右胸を覆い左胸を露出するようになっており、辺部がゴムを利用してギャザーとなっており伸縮可能となったものである。固定前身頃前面の右腰部付近にはボタンが設けられている。
また、固定前身頃の内側には図１ｂにしめすように除去胸部に当る位置を広く覆うように、綿ニットが周辺を縫合することで取り付けられている。この綿ニットは切込みが設けられており、固定前身頃と綿ニットにより切込みを入口とするポケットを形成している。
当該ポケットにはパッドが着脱可能に収納できるようになっている。この際、ポケットはパッドが胸部位置に収まるようになっている。
開閉前身頃は、図２に示す様に、左肩縫合辺を有し、前記固定前身頃とあわせて患者の前を覆い全体で任意の衣服となるようになっている。開閉前身頃は肩縫合部と左脇縫合辺で縫合され、それ以外は開放状態となっている。また、固定するために、閉じた状態で前記ボタンで留める位置にボタンホールが設けられている。
本事例においては、ボタンとボタンホールで着脱したものであるが、これに限定されるものではなく、着脱機能を有するものであれば、従来用いられる各種手法で対応することも可能である。
本発明は以上の構造よりなっている。
【図面の簡単な説明】
【０００７】
【図１】本発明の固定前身頃説明図
【図２】本発明の開閉前身頃正面図
【図３】本発明の後身頃正面図
【図４】本発明の使用状態図
【図５】本発明の使用状態図
【符号の説明】
【０００８】        １  固定前身頃
２  右脇縫合部
３  開閉前身頃
４  後身頃
５  Ｖネック（ゴム）
６  薄手綿ニット素材
７  パッド
８  左脇縫合部
９  ウエスト縫合部
１０  スリット
１１  ボタン
１２  ボタンホール
【図１】
2006176945.tif 000003
【図２】
2006176945.tif 000004
【図３】
2006176945.tif 000005
【図４】
2006176945.tif 000006
【図５】
2006176945.tif 000007
(57)【要約】【課題】  従来の雨合羽は図２に示すように、頭から身体全体を覆う形状をしている、しかしながら、見た目が悪く邪魔で荷物になり、現代人特に若い女性にとっては馴染みが薄く、大雨や暴風雨のときなどは傘だけでは雨を防げず、特にスカートが濡れ椅子に座るときなどは苦痛であり冷え性の原因にもなっている。【解決手段】制服や一般のスカートを対象に、艶や光沢が無いビニールやナイロン製で制服や一般のスカートと同じ色や柄で、巻きスカート形式であり、サイズはＬ・Ｍ・Ｓの３種類で最上部に設けてあるマジックテープで固定し微調整が出来、巻きスカート形式であるため着けたり脱いだりが簡単で、最上部腰の部分に雨合羽スカート本体を折りたたみ収納できるポケットを設け、マジックテープで口を閉じる形式であり、雨合羽スカート着用時にはポケットは小物入れになる形態で、一見雨合羽に見えず制服や一般のスカートを穿いている用に見える。【選択図】図１
2006176942.tif 000002
【特許請求の範囲】
【請求項１】
従来の雨合羽は頭から体全体を覆う形式で、現代人特に若い女性にとっては、格好が悪い・邪魔で荷物になるなど馴染みが薄いようで特に大雨のときなどは、雨を傘だけでは防げず、大多数の制服着用女性は、スカートが濡れ椅子に座ることが苦痛であり冷え性の原因にもなっている、そこでこの発明は、制服のスカートを対象に、艶・光沢が無いビニールやナイロン製で制服のスカートとまったく同じ色や柄で、巻きスカート形式・マジックテープ固定型で、サイズはＬ・Ｍ・Ｓの３種類ありマジックテープ固定型であるためウエストを調整出来る雨合羽スカートで、スカートの丈は好みに合わせ、さらに最上部の部分には雨合羽スカート本体を折りたたんで収納できるポケットを設け、雨合羽着用時は、携帯電話や定期券などが収納でき、表に下げたり、内側に下げたりでき、寒い日に着用すれば防寒にもなることを特徴とする雨合羽スカート。
【請求項２】
前記請求項１制服用雨合羽スカートは、艶・光沢が無いビニールやナイロン製であり、制服のスカートに合わせた同じ色・柄物で本体雨合羽収納ポケットが１つ設けてあるが、それ以外に制服以外のスカート用に透明や色や柄も多種多様であることを特徴とする雨合羽スカート。
【発明の詳細な説明】
【技術分野】
【０００１】  この発明は、雨合羽スカートの形状に関する。
【背景技術】
【０００２】  従来の雨合羽の形状は、図２に示すように、古来の形式である。
【発明の開示】
【発明が解決しようとする課題】
【０００３】  しかしながら、以上の技術によれば、見た目が悪く邪魔で荷物になり現代人特に若い女性には馴染みが薄く、特に大雨の日には傘だけでは雨を防げず、スカートは濡れ冷え性の原因にもなっているようである、そこでこの発明は制服やスーツ及び一般のスカートと同じ色や柄で違和感の無い、一見普通のスカートを穿いているように見える、雨合羽スカートを提供することを課題とする。
【課題を解決するための手段】
【０００４】  以上の課題を解決するために、第一発明は本来、雨合羽頭は頭から上半身を覆う形式で、現代人特に若い女性にとっては、格好が悪い・邪魔で荷物になるなど馴染みが薄く、着用している女性はまれで傘だけに頼り、そのため大雨や暴風雨のときなどは雨を防げず、大多数の制服のスカート着用女性はスカートが濡れ椅子に座ることが苦痛のようであり冷え性の原因にもなっている、そこでこの発明は制服のスカートを対象に、艶や光沢がないビニールやナイロン製で制服のスカートと同じ色や柄物で、巻きスカート形式でありサイズはＬ・Ｍ・Ｓの３種類で最上部に設けたマジックテープで微調整・固定し、巻きスカート形式であるため着けたり脱いだりが簡単で、スカート丈は好みに合わせ、さらに最上部腰の部分には雨合羽スカート本体を折りたたみ収納できるポケットを設け、マジックテープで口を閉じる形式で、雨合羽スカート使用時には最上部のスカートとポケットの接点部分を折り下げ、スカート表側に下げたり内側に下げたり出来、携帯電話や定期券などを入れることが出来る形態で、一見雨合羽に見えず制服のスカートを穿いているように見えることを特徴とする雨合羽スカートである。
また、第二発明は、上記制服用雨合羽スカートの形態は、上記第一発明と同じであるが、制服だけではなく、あらゆるスカートに合わせた透明や色柄は多種多様で、一見雨合羽には見えず普通のスカートを穿いているように見えることを特徴とする雨合羽スカートである。
【発明の効果】
【０００５】  第一発明、または第二発明によれば、一見雨合羽には見えず普通のスカートを穿いているように見えるため違和感が無く、着けたり脱いだりが簡単で学生や若い女性は着用しやすい。
【発明を実施するための最良の形態】
【０００６】  この発明の一実施形態を図１に示す。
雨合羽スカートの本体１は艶・光沢が無いビニールやナイロン製であり、この本体１の最上部に本体収納ポケットがひとつ設けられている。【０００７】「実施形態の効果」
この実施形態によれば、雨合羽スカートはマジックテープで固定し巻きスカート形式であるため着けたり脱いだりが簡単で、一見スカートに見え違和感が無い。【０００８】「他の実施形態」
【図面の簡単な説明】
【０００９】
【図１】この発明の一実施形態を示す斜視図である。
【図２】従来技術を示す斜視図である。
【符号の説明】
【００１０】１  雨合羽本体
２  本体収納及び小物入れポケットの位置
３  マジックテープの位置
【図１】
2006176942.tif 000003
【図２】
2006176942.tif 000004
(57)【要約】      （修正有）【課題】エレベーターホール前でエレベーターを待つ時間を短縮する装置を提供する。【解決手段】玄関を出る時に、玄関内部に備えられたエレベーターボタンを押す予約ボタンであり、予約ボタンを押して玄関の鍵を閉め、エレベーターホールに到着すると、エレベーターがすでに到着している、もしくは現在向かって来ているというものである。【選択図】図１
2006176332.tif 000002
【特許請求の範囲】
【請求項１】
エレベーターホールから直結された信号を送るボタン
【請求項２】
ボタンは各々の玄関内部に備えられ押すと、直結されたエレベーターホールのボタンが押される状態になる
【請求項３】
同様の仕組みをマンション１階のオートロックパネルのオートロックボタンにも摘要する。オートロックボタンを押して、ドアが解除されたと同時に１階のエレベーターホールのボタンが押されたようになる
【発明の詳細な説明】
【技術分野】
【０００１】本発明はエレベーターの早呼びの仕組みに関するものである
【背景技術】
【０００２】従来のエレベーターは、仮にマンションの場合自宅の玄関を出て、エレベーターホールに行き、そこでエレベーターのボタンを押してエレベーターが来るのを待つというものであった
【発明の開示】
【０００３】上述の通り、急いでるにも関わらずエレベーターが来るまで、エレベーターホールの前で待たなければいけないというジレンマがあった
【０００４】本発明は玄関を出る時に、エレベーターボタンを押す予約ボタンであり予約ボタンを押して、玄関の鍵を閉め、エレベーターホールに到着すると、エレベーターがすでに到着してる、もしくは現在向かって来てるというものである
【０００５】同様の仕組みをマンション１階のオートロックパネルのオートロックボタンにも摘要する。オートロックボタンを押して、ドアが解除されたと同時に１階のエレベーターホールのボタンが押されたようになる
【課題を解決するための手段】
【０００６】エレベーターホールと直結したボタンをマンションの各玄関の内側に付ける構造上無理な場合は、ケーブルでなく無線で取り付ける
【０００７】以上の事より、各々が出かける時に、玄関を出る前にそのボタンを押してトビラの鍵を閉めエレベーターホールに行くと、エレベーターが既に到着してるか、近くの階まで来ている状態になる
【０００８】１階の場合も同様にマンション１階のオートロックパネルのオートロックボタンにも早呼びくんを装着し、オートロックボタンを押して、ドアが解除されたと同時に１階のエレベーターホールのボタンが押されたようになる
【発明の効果】
【０００９】この早呼びボタンを装備する事で、従来のようにエレベーターホールに着いてからエレベーターを呼び、イライラしながら待つという事がなくなり時間的にかなり短縮される
【００１０】また、毎日の事なので一度使用すると、早呼びくんの便利さゆえかなり重宝されるものである
【発明を実施するための最良の形態】以下、本発明の実施例について説明する【００１１】玄関内に備え付けられる「早呼びくん」ボタンはエレベーターホールのボタンと直結しており、玄関内の「早呼びくん」ボタンを押すと同時にエレベーターホールのボタンも押された状態になり点灯するものである【００１２】直結するコードはエレベーターホールに信号を送れるものであればそれで良い【００１３】マンションによっては構造上、エレベーターホールまでのコードを埋め込めない場合があるので、その場合は、「早呼びくん」を押した時にボタンの信号が送れる無線で代用する。
【図１】
2006176332.tif 000003
【図２】
2006176332.tif 000004
【図３】
2006176332.tif 000005
【手続補正書】
【提出日】平成17年2月18日(2005.2.18)
【手続補正２】
【補正対象書類名】明細書
【補正対象項目名】全文
【補正方法】変更
【補正の内容】
【発明の詳細な説明】
【技術分野】
【０００１】本発明はエレベーターの早呼びの仕組みに関するものである
【背景技術】
【０００２】従来のエレベーターは、仮にマンションの場合自宅の玄関を出て、エレベーターホールに行き、そこでエレベーターのボタンを押してエレベーターが来るのを待つというものであった
【発明の開示】
【０００３】上述の通り、急いでるにも関わらずエレベーターが来るまで、エレベーターホールの前で待たなければいけないというジレンマがあった
【０００４】本発明は玄関を出る時に、エレベーターボタンを押す予約ボタンであり予約ボタンを押して、玄関の鍵を閉め、エレベーターホールに到着すると、エレベーターがすでに到着してる、もしくは現在向かって来てるというものである
【０００５】同様の仕組みをマンション１階のオートロックパネルのオートロックボタンにも摘要する。オートロックボタンを押して、ドアが解除されたと同時に１階のエレベーターホールのボタンが押されたようになる
【課題を解決するための手段】
【０００６】エレベーターホールと直結したボタンをマンションの各玄関の内側に付ける構造上無理な場合は、ケーブルでなく無線で取り付ける
【０００７】以上の事より、各々が出かける時に、玄関を出る前にそのボタンを押してトビラの鍵を閉めエレベーターホールに行くと、エレベーターが既に到着してるか、近くの階まで来ている状態になる
【０００８】１階の場合も同様にマンション１階のオートロックパネルのオートロックボタンにも早呼びくんを装着し、オートロックボタンを押して、ドアが解除されたと同時に１階のエレベーターホールのボタンが押されたようになる
【発明の効果】
【０００９】この早呼びボタンを装備する事で、従来のようにエレベーターホールに着いてからエレベーターを呼び、イライラしながら待つという事がなくなり時間的にかなり短縮される
【００１０】また、毎日の事なので一度使用すると、早呼びくんの便利さゆえかなり重宝されるものである
【発明を実施するための最良の形態】以下、本発明の実施例について説明する【００１１】玄関内に備え付けられる「早呼びくん」ボタンはエレベーターホールのボタンと直結しており、玄関内の「早呼びくん」ボタンを押すと同時にエレベーターホールのボタンも押された状態になり点灯するものである【００１２】直結するコードはエレベーターホールに信号を送れるものであればそれで良い【００１３】マンションによっては構造上、エレベーターホールまでのコードを埋め込めない場合があるので、その場合は、「早呼びくん」を押した時にボタンの信号が送れる無線で代用する。
【図面の簡単な説明】
【００１４】
【図１】は玄関からエレベーターホールまでの信号ケーブルを表示したものである。図１が表してるように玄関で押した信号が信号ケーブルを伝ってエレベーターホールのボタンに直結され、信号が送られる仕組みである
【図２】は図１を拡大した図面である
【図３】は、マンションの玄関にあるオートロックパネルを利用した場合の「早呼びくん」である。自宅に帰宅するものがマンションの玄関にあるオートロックパネルを開錠した時点でエレベーターホールのボタンに信号が届き、エレベーターが呼べるという仕組みである。この場合も「早呼びくん」と同じ仕組みが使用される